(57)【要約】【課題】多数のコンテンツの中からユーザ自らが興味を持つコンテンツを選択するときに参考となる情報を提供すること。【解決手段】情報処理装置１０は、ユーザに関連付けられた第三者がウェブサイトに投稿した情報を取得する情報取得部３１と、情報取得部３１によって取得された情報に関連するコンテンツを検索するコンテンツ検索部３１と、ユーザが視聴可能な複数のコンテンツを表示部２７に表示させる表示制御部３５とを備えている。表示制御部３５は、ユーザが視聴可能な複数のコンテンツの情報のうち、コンテンツ検索部３２によって取得されたコンテンツの情報に第三者に対応する情報を関連付けて表示させる。【選択図】図３
2018156157.tif 000002
【特許請求の範囲】
【請求項１】
ユーザに関連付けられた第三者がウェブサイトに投稿した情報を取得する情報取得手段と、
前記情報取得手段によって取得された情報に関連するコンテンツを検索するコンテンツ検索手段と、
前記ユーザが視聴可能な複数のコンテンツの情報を表示手段に表示させる表示制御手段と
を備え、
前記表示制御手段は、複数の前記コンテンツの情報のうち、前記コンテンツ検索手段によって検索された前記コンテンツの情報に前記第三者に対応する情報を関連付けて表示させる情報処理装置。
【請求項２】
前記コンテンツは放送局から配信される放送番組であり、
前記コンテンツ検索手段は、前記放送番組の情報が格納されている番組データベースから、前記情報取得手段によって取得された情報に関連する放送番組の情報を取得し、
前記表示制御手段は、前記表示手段に複数の放送番組の情報の少なくとも一部を番組表、録画予約番組の一覧、または録画番組の一覧として前記表示手段に表示させるとともに、複数の前記放送番組のうち前記コンテンツ検索手段によって検索された放送番組の情報に前記第三者に対応する情報を関連付けて、前記番組表、前記録画予約番組の一覧、または前記録画番組の一覧の中に表示させる請求項１に記載の情報処理装置。
【請求項３】
前記コンテンツは動画配信サーバから配信される配信動画であり、
前記表示制御手段は、前記表示手段に視聴可能な複数の配信動画の情報の少なくとも一部の一覧を表示させるとともに、前記コンテンツ検索手段によって検索された配信動画の情報に、前記第三者に対応する情報を関連付けて表示させる請求項１に記載の情報処理装置。
【請求項４】
前記情報取得手段は、ソーシャル・ネットワーキング・サービスに対して、前記ユーザに関連付けられた前記第三者が投稿した記事、プロファイル、及び画像の少なくとも一つを取得する請求項１から請求項３のいずれかに記載の情報処理装置。
【請求項５】
前記表示手段に表示された複数の前記コンテンツの情報のうちの少なくとも一つを指定可能な入力手段を備える請求項１から請求項４のいずれかに記載の情報処理装置。
【請求項６】
前記情報取得手段は、前記第三者及び前記ユーザがウェブサイトに投稿した情報を取得し、
前記表示制御手段は、複数の前記コンテンツのうち、前記コンテンツ検索手段によって検索された前記コンテンツの情報に前記第三者及び前記ユーザに対応する情報をそれぞれ関連付けて表示させる請求項１から請求項５のいずれかに記載の情報処理装置。
【請求項７】
ユーザに関連付けられた第三者がウェブサイトに投稿した情報を取得する情報取得工程と、
取得した前記情報に関連するコンテンツを検索するコンテンツ検索工程と、
前記ユーザが視聴可能な複数のコンテンツの情報を表示手段に表示させる表示制御工程と
を備え、
前記表示制御工程は、複数の前記コンテンツの情報のうち、前記コンテンツ検索工程において検索された前記コンテンツの情報に前記第三者に対応する情報を関連付けて表示させるコンテンツ選択支援方法。
【請求項８】
ユーザに関連付けられた第三者がウェブサイトに投稿した情報を取得する情報取得処理と、
取得した前記情報に関連するコンテンツを検索するコンテンツ検索処理と、
前記ユーザが視聴可能な複数のコンテンツの情報を表示手段に表示させる表示制御処理と
をコンピュータに実行させるためのプログラムであって、
前記表示制御処理は、複数の前記コンテンツの情報のうち、前記コンテンツ検索処理において検索された前記コンテンツの情報に前記第三者に対応する情報を関連付けて表示させるコンテンツ選択支援プログラム。
【発明の詳細な説明】
【技術分野】
【０００１】
本発明は、情報処理装置、コンテンツ選択支援方法、及びコンテンツ選択支援プログラムに関するものである。
【背景技術】
【０００２】
従来、多数のコンテンツ（例えば、テレビ番組）の中からユーザの好みに合致するコンテンツを検索してユーザに提供する技術として、例えば、特許文献１に開示されるシステムが知られている。
特許文献１には、ユーザの行動履歴に基づいてユーザの趣味嗜好を分析し、その分析結果に基づいてユーザの好みに合致するコンテンツを抽出し、抽出したコンテンツを一覧表示することでユーザに提示するシステムが開示されている。
【先行技術文献】
【特許文献】
【０００３】
【特許文献１】特開２０１０−２６２５３４号公報
【発明の概要】
【発明が解決しようとする課題】
【０００４】
しかしながら、上述した特許文献１に開示されているシステムでは、初期の段階では、蓄積されている行動履歴の数が少ないため、検索結果に大きな偏りが生じてしまう可能性がある。
また、検索結果を一覧としてユーザに提示する従来の方法では、一覧表示されたコンテンツの中にユーザが視聴したいコンテンツがない可能性がある。このような場合、すでに一覧表示して確認済みのものを含むすべてのコンテンツの中から改めてユーザ自らが視聴したいコンテンツを探す必要が生じてしまう。
【０００５】
本発明は、このような事情に鑑みてなされたものであって、多数のコンテンツの中からユーザ自らが興味を持つコンテンツを選択するときに役立つ情報を提供することのできる情報処理装置、コンテンツ選択支援方法、及びコンテンツ選択支援プログラムを提供することを目的とする。
【課題を解決するための手段】
【０００６】
上記課題を解決するために、本発明は以下の手段を採用する。
本発明の第一態様は、ユーザに関連付けられた第三者がウェブサイトに投稿した情報を取得する情報取得手段と、前記情報取得手段によって取得された情報に関連するコンテンツを検索するコンテンツ検索手段と、前記ユーザが視聴可能な複数のコンテンツの情報を表示手段に表示させる表示制御手段とを備え、前記表示制御手段は、複数の前記コンテンツの情報のうち、前記コンテンツ検索手段によって検索された前記コンテンツの情報に前記第三者に対応する情報を関連付けて表示させる情報処理装置である。
【０００７】
本発明の第二態様は、ユーザに関連付けられた第三者がウェブサイトに投稿した情報を取得する情報取得工程と、取得した前記情報に関連するコンテンツを検索するコンテンツ検索工程と、前記ユーザが視聴可能な複数のコンテンツの情報を表示手段に表示させる表示制御工程とを備え、前記表示制御工程は、複数の前記コンテンツの情報のうち、前記コンテンツ検索工程において検索された前記コンテンツの情報に前記第三者に対応する情報を関連付けて表示させるコンテンツ選択支援方法である。
【０００８】
本発明の第三態様は、ユーザに関連付けられた第三者がウェブサイトに投稿した情報を取得する情報取得処理と、取得した前記情報に関連するコンテンツを検索するコンテンツ検索処理と、前記ユーザが視聴可能な複数のコンテンツの情報を表示手段に表示させる表示制御処理とをコンピュータに実行させるためのプログラムであって、前記表示制御処理は、複数の前記コンテンツの情報のうち、前記コンテンツ検索処理において検索された前記コンテンツの情報に前記第三者に対応する情報を関連付けて表示させるコンテンツ選択支援プログラムである。
【発明の効果】
【０００９】
本発明によれば、多数のコンテンツの中からユーザ自らが興味を持つコンテンツを選択するときに役立つ情報を提供することができるという効果を奏する。
【図面の簡単な説明】
【００１０】
【図１】本発明の一実施形態に係る情報処理装置を含むシステム全体の構成を示した図である。
【図２】本発明の一実施形態に係る情報処理装置のハードウェア構成について示した図である。
【図３】本発明の一実施形態に係る情報処理装置が備える機能のうち、コンテンツ選択支援に関する主な機能を抽出して示した機能ブロック図である。
【図４】本発明の一実施形態に係る情報処理装置によって実行されるコンテンツ選択支援処理の手順を示したフローチャートである。
【発明を実施するための形態】
【００１１】
以下に、本発明の一実施形態に係る情報処理装置、コンテンツ選択支援方法、及びコンテンツ選択支援プログラムについて、図面を参照して説明する。
【００１２】
図１は、本発明の一実施形態に係る情報処理装置１０を含むシステム全体の構成を示した図である。本実施形態に係る情報処理装置１０は、例えば、パーソナルコンピュータ（以下「ＰＣ」という）、スマートフォン等の携帯情報端末、テレビ受像機、ＤＶＤレコーダ等の映像録画再生装置等であり、インターネット等の広く公衆によって接続可能なネットワーク５を介してウェブサーバに接続可能な構成とされている。
情報処理装置１０は、例えば、ネットワークを介してＦａｃｅｂｏｏｋ（登録商標）等のソーシャル・ネットワーキング・サービス（以下「ＳＮＳ」という。）、Ｔｗｉｔｔｅｒ（登録商標）等の社会要素を備えたコミュニケーションネットワーク（以下、これらをまとめて「ＳＮＳ等１２」という）、Ｈｕｌｕ（登録商標）、Ｙｏｕｔｕｂｅ（登録商標）等の動画配信サイト１１にアクセス可能とされている。
【００１３】
図２は、本実施形態に係る情報処理装置１０のハードウェア構成を示した図である。図２に示すように、本実施形態に係る情報処理装置１０は、例えば、ＣＰＵ２１と、ＣＰＵ２１が実行するプログラム等を記憶するためのＲＯＭ（Ｒｅａｄ  Ｏｎｌｙ  Ｍｅｍｏｒｙ）２２と、各プログラム実行時のワーク領域として機能するＲＡＭ（Ｒａｎｄｏｍ  Ａｃｃｅｓｓ  Ｍｅｍｏｒｙ）２３と、大容量記憶装置としてのハードディスクドライブ（ＨＤＤ）２４と、ネットワークに接続するための通信インターフェース２５と、入力部２６と、表示部２７と、ＴＶチューナ部２８とを備えている。これら各部は、バスを介して接続されている。
【００１４】
なお、ＣＰＵ２１が実行するプログラム等を記憶するための記憶媒体は、ＲＯＭ２２に限られない。例えば、磁気ディスク、光磁気ディスク、半導体メモリ等の他の補助記憶装置であってもよい。
【００１５】
ＣＰＵ２１は、情報処理装置全体の動作を制御するものであり、ＲＯＭ２２に格納された制御プログラムをロードしてＲＡＭ２３に展開し実行することにより、後述する各種機能を実現させる。ＨＤＤ２４は、情報処理装置１０のアプリケーションソフトウェアプログラムを格納したり、ＴＶチューナ部２８によって受信されたテレビ番組や、動画配信サイトから送出される動画コンテンツ等を録画したりするものである。また、ユーザによって録画予約等がされた場合には、録画予約番組の情報を記憶する。
【００１６】
通信インターフェース２５は、インターネット等のネットワーク５に接続し、ネットワーク５に接続されているウェブサーバとの間で双方向通信を行う。
入力部２６は、例えば、キーボード、マウス、タッチパネル、リモートコントローラ等であり、ユーザが情報処理装置１０に対して指示を与えるものである。
表示部２７は、例えば、液晶表示装置であり、ＣＰＵ２１によって実行されたアプリケーションソフトウェアプログラムの結果やＴＶチューナ部２８によって受信されたテレビ番組や、通信インターフェース２５を介して動画配信サイト１１から受信した動画コンテンツを表示する。なお、表示部２７については、情報処理装置１０に一体として設けられていてもよいし、所定のケーブル等を介して外部装置として接続されていてもよい。
ＴＶチューナ部２８は、放送局から送信される地上デジタル、ＢＳ（Ｂｒｏａｄｃａｓｔｉｎｇ  Ｓａｔｅｌｌｉｔｅ）、及びＣＳ（Ｃｏｍｍｕｎｉｃａｔｉｏｎｓ  Ｓａｔｅｌｌｉｔｅ）等から送信される放送をアンテナから受信し復調するものである。
【００１７】
図３は、本実施形態に係る情報処理装置１０が備える機能のうち、コンテンツ選択支援に関する主な機能を抽出して示した機能ブロック図である。なお、後述する各部によって実現される各種機能は、上述したＣＰＵ２１がＲＯＭ２２等に格納されているコンテンツ選択支援プログラムをＲＡＭ２３に読み出して実行することにより実現されるものである。
【００１８】
図３に示すように、情報処理装置１０は、情報取得部３１、コンテンツ検索部３２、番組データベース３３、記憶部３４、表示制御部３５、録画再生部３６、投稿情報生成部３７、ＳＮＳ投稿部３８、入力部２６、及び表示部２７等を備えている。
【００１９】
情報取得部３１は、ユーザ自身が登録しているＦａｃｅｂｏｏｋ（登録商標）等のＳＮＳの情報やＴｗｉｔｔｅｒ（登録商標）の情報およびユーザに関連する第三者の情報が格納された記憶部（図示略）を有している。ここで、ユーザ自身が登録しているＳＮＳ等の情報としては、例えば、これらのウェブサイトのＵＲＬ等が挙げられる。また、ユーザに関連する第三者とは、例えば、ユーザがフォローしているブログの運営者や、友人登録されている人物やコミュニティ等が挙げられる。
【００２０】
情報取得部３１は、図示しない記憶部に格納されているこれら情報に基づいてＳＮＳ等１２にアクセスし、ユーザのプロファイル、投稿記事、投稿画像等及びユーザに関連する第三者のプロファイル、投稿記事、投稿画像等の各種情報を取得する。情報取得部３１は、例えば、定期的に対象となるウェブサイトにアクセスしこれらの情報を取得してもよいし、ユーザによって電子番組表等の番組表示が要求されたときに、それをトリガとして上記の情報を取得することとしてもよい。
【００２１】
コンテンツ検索部３２は、情報取得部３１によって取得された情報に関連する番組（コンテンツ）を番組データベース３３から検索する。例えば、コンテンツ検索部３２は、情報解析部４１と、キーワード生成部４２と、番組検索部４３とを備えている。情報解析部４１は、情報取得部３１によって取得された情報を解析し、キーワードとなりうるターム、例えば、名詞を抽出する。キーワード生成部４２は、情報解析部４１によって抽出されたタームからキーワードを生成するとともに、カテゴリを特定する。例えば、投稿記事から抽出されたタームが「イタリア」、「旅」、「西」、「電車」等であれば、キーワード生成部４２は、所定のアルゴリズムに従って、それらのタームの関係性からカテゴリとして「旅行」を特定するとともに、キーワードとして「イタリア」を生成する。また、例えば、投稿記事から抽出されたタームが、「試合」、「サッカー」、「スタジアム」等であれば、それらのタームの関係性からカテゴリとして「スポーツ」を、キーワードとして「サッカー」を特定する。なお、キーワードの生成方法については公知の技術を適宜用いればよい。
【００２２】
番組検索部４３は、キーワード生成部４２によって生成されたキーワード及びカテゴリに基づいて番組データベース３３を検索し、キーワード及びカテゴリに関連性の高い番組の情報を抽出する。ここで、番組データベース３３は、ユーザが視聴可能な番組や配信動画の情報が格納されている。例えば、これらの情報は各放送局が提供している番組サーバや、各種動画配信サイトのサーバから定期的にダウンロードした情報である。なお、情報処理装置１０がこのようなデータベースを保有していてもよいし、これに代えて、番組検索部４３がネットワーク５を介してこれらの番組等を配信しているウェブサーバにアクセスし、ウェブサーバに対して検索をかけることにより、キーワード生成部４２によって生成されたキーワード及びカテゴリに関連する番組情報を抽出することとしてもよい。なお、番組検索部によって抽出される番組情報（コンテンツの情報）は、番組を特定することのできる情報であればよく、例えば、番組名を含んでいる。また、放送局、放送時間等を含む情報でもよく、更に出演者等の様々な情報を含むメタデータ等であってもよい。
【００２３】
コンテンツ検索部３２によって検索、抽出された情報は、その番組を抽出する際に用いられた投稿記事等のユーザまたは第三者の情報と関連付けられて、関連番組情報として記憶部３４に格納される。記憶部３４には、上記関連番組情報の他、電子番組表（ＥＧＰ：Ｅｌｅｃｔｒｏｎｉｃ  Ｐｒｏｇｒａｍ  Ｇｕｉｄｅ）、録画番組情報、録画予約情報等が格納されている。
表示制御部３５は、ユーザから電子番組表の表示指示が入力された場合に、電子番組表として表示すべき情報を記憶部３４から読み出して表示部２７の表示画面に電子番組表として表示させるとともに、表示画面に表示された番組の中に関連番組情報として登録されている番組がある場合には、その番組の情報に第三者またはユーザに対応する情報を関連付けて、電子番組表の中に表示させる。ここで、ユーザや第三者に対応する情報の一例として、例えば、その人物またはコミュニティがＳＮＳ等１２に登録しているプロフィール画像が挙げられる。なお、ユーザ及び第三者の情報の表示態様についてはこの例に限定されず、その番組を検索するのに使用された投稿記事等の投稿者がわかるように表示されればよい。例えば、ユーザ及び第三者のそれぞれについて色情報を予め登録しておき、電子番組表の中の番組枠を色で着色することにより誰の情報に基づいて抽出された番組なのかがわかるようにしてもよい。
【００２４】
また、表示制御部３５は、表示画面に表示されている電子番組表の中から特定の番組がユーザによって指定され、視聴の入力指示が入力部２６から入力された場合に、指定された番組を表示部２７に表示させたり、録画予約のための画面を表示させたりする。
また、表示制御部３５は、同様に、ユーザから録画番組一覧の表示指示が入力された場合には、記憶部３４から録画番組情報を読み出して表示部２７に一覧として表示させるとともに、その番組の中に関連番組情報として登録されている番組がある場合には、その番組に対応する人物またはコミュニティの情報を関連付けて表示させる。また、表示制御部３５は、ユーザから録画予約一覧の表示指示が入力された場合には、記憶部３４から録画予約情報を読み出して表示部２７に一覧として表示させるとともに、その番組の中に関連番組情報として登録されている番組がある場合には、その番組に対応する人物またはコミュニティの情報を関連付けて表示させる。
【００２５】
録画再生部３６は、例えば、表示部２７に表示させた録画番組一覧の中から特定の番組が指定されて視聴指示が入力部２６から入力された場合に、指定された録画番組を再生して表示部２７に表示させる。
投稿情報生成部３７は、例えば、ユーザがテレビ番組や動画コンテンツを視聴している際に、入力部２６に設けられたＳＮＳ投稿ボタンを押下するなどして、ＳＮＳ投稿の入力指示が入力された場合に、現在の視聴番組等に関する情報を電子番組表等から取得し、取得した情報に基づいて投稿記事のデフォルトを作成する。これは、予め用意されているデフォルトのフォーマットに沿って電子番組表等から取得した種々の情報を記述することで作成することができる。ＳＮＳ投稿部３８は、投稿情報生成部３７によって生成された投稿記事をユーザのＳＮＳサイトにアップロードする。これにより、自動的に投稿記事が作成され、ユーザのＳＮＳのページに投稿されることとなる。
【００２６】
次に、本実施形態に係る情報処理装置１０の動作について図４を参照して説明する。図４は、本実施形態に係る情報処理装置１０によって実行されるコンテンツ選択支援処理の手順を示したフローチャートである。
まず、情報取得部３１がＳＮＳ等１２にアクセスし、ユーザ及びユーザに関連付けられている第三者（例えば、友人Ａ、友人Ｂ）の投稿記事等の情報を取得する（ステップＳＡ１）。コンテンツ検索部３２は、情報取得部３１によって取得された投稿記事等を分析し（ステップＳＡ２）、キーワード及びカテゴリを特定し（ステップＳＡ３）、特定したキーワード及びカテゴリを用いて番組データベース３３を検索し、関連する番組の情報、換言すると、関連する番組を特定するための番組特定情報を取得する（ステップＳＡ４）。取得した番組の情報は第三者の情報と関連付けられて関連番組情報として記憶部３４に格納される（ステップＳＡ５）。
【００２７】
そして、入力部２６がユーザによって操作されることにより、例えば、電子番組表の表示指示が入力された場合には、表示制御部３５は、記憶部３４に格納されている電子番組表の情報の中から表示すべき情報を取得するとともに、記憶部３４に格納されている関連番組情報を取得する。そして、関連番組情報に登録されている番組については、電子番組表の当該番組に第三者の情報を関連付けて表示させる（ステップＳＡ６）。これにより、例えば、表示部２７の表示画面には、電子番組表において、ユーザ及びユーザに関連付けられている第三者（例えば、友人Ａ、友人Ｂ）の投稿記事に関連する番組がその友人Ａ、友人Ｂの情報に関連付けられて表示される。これにより、ユーザに対して、電子番組表上でユーザの友人がおすすめした番組や、友人の趣味嗜好に関連する番組を通知することが可能となり、ユーザは番組を選択する際の参考情報としてこれらの情報を利用することができる。
【００２８】
そして、電子番組表が表示されている状態においてユーザが入力部２６を操作することにより、特定の番組の視聴指示が入力された場合には、指定された番組が表示部２７に表示されることとなる。また、視聴指示に代えて録画指示が入力された場合には、指定された番組の録画予約が実行されることとなる。
【００２９】
また、ユーザが番組視聴中において、入力部２６からＳＮＳ投稿の指示を入力すると、現在視聴中の番組に関する投稿記事が投稿情報生成部３７によって自動的に作成され、ＳＮＳ投稿部３８によってＳＮＳのウェブサイトにアップされる。これにより、ＳＮＳの情報を使用した番組の選択支援に加えて、ＳＮＳへの投稿支援も行うことが可能となる。
【００３０】
以上説明したように、本実施形態に係る情報処理装置、コンテンツ選択支援方法、及びコンテンツ選択支援プログラムによれば、ユーザ自身またはユーザに関する友人等がおすすめした番組や友人の趣味嗜好に関連する番組について、ユーザまたはその友人の情報が関連付けられた番組表が表示部２７に表示される。これにより、ユーザは番組表を閲覧しながら、ＳＮＳ等で友人登録等がされている人が興味を持っている、または、興味を持つと推測できる番組を知ることができ、番組選択の際の参考情報として用いることができる。また、本実施形態によれば、従来のように、予めユーザの趣味嗜好に応じておすすめの番組が抽出された一覧が表示されるのではなく、このような情報の抽出が行われていない情報、例えば、電子番組表自体を表示部２７に表示させるので、抽出された一覧の中にユーザの興味を惹くような番組がないなどの問題を解消することができる。
以上述べたように、本実施形態に係る情報処理装置、コンテンツ選択支援方法、及びコンテンツ選択支援プログラムによれば、ユーザが多数の番組の中から視聴する番組を選択する際に参考となる情報（役立つ情報）を提供することができ、番組選択の支援をすることができる。
【００３１】
上記実施形態では、コンテンツの一例として、テレビ番組を例示して説明したが、コンテンツはテレビ番組に限定されない。例えば、コンテンツは、動画配信サイトから配信される動画コンテンツであってもよい。この場合、表示画面には、ユーザが視聴可能な複数の配信動画の一覧が表示されるとともに、コンテンツ検索部３２によって取得された配信動画に第三者に対応する情報（例えば、プロフィール画像）が関連付けられて表示される。また、コンテンツは、上述のように番組や配信動画等に限定されず、例えば、メディアサーバ等から配信される記事コンテンツであってもよいし、音楽配信サイトから提供される音楽コンテンツであってもよい。また、広告サーバから配信される広告コンテンツであってもよい。なお、コンテンツとしてテレビ番組を含まない場合には、情報処理装置１０におけるＴＶチューナ部２８（図２参照）は任意の構成とすることが可能である。
【００３２】
以上、本発明について上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、上記実施形態を適宜組み合わせてもよい。
【符号の説明】
【００３３】
５      ：ネットワーク
１０    ：情報処理装置
１１    ：動画配信サイト
１２    ：ＳＮＳ等
２５    ：通信インターフェース
２６    ：入力部
２７    ：表示部
２８    ：ＴＶチューナ部
３１    ：情報取得部
３２    ：コンテンツ検索部
３３    ：番組データベース
３４    ：記憶部
３５    ：表示制御部
３６    ：録画再生部
３７    ：投稿情報生成部
３８    ：ＳＮＳ投稿部
４１    ：情報解析部
４２    ：キーワード生成部
４３    ：番組検索部
【図１】
2018156157.tif 000003
【図２】
2018156157.tif 000004
【図３】
2018156157.tif 000005
【図４】
2018156157.tif 000006